(57)【要約】【課題】とうもろこしからコーン粒を簡単に分離することができ、焼きとうもろこしや蒸しとうもろこしを食べるときにコーン粒だけを簡単に食することができるスクレーパを提供する。【解決手段】とうもろこしからコーン粒を分離する際に使用するスクレーパ（１０）であって、Ｔ字型ブレード部（１２）の凹凸部、またはホルダー先端部にてとうもろこしの芯（穂軸）方向であるコーン粒一列を分離し、前記Ｔ字型のブレード部の滑らかな縁部（１３）にてとうもろこしの芯（穂軸）にそって、以降のコーン粒列を分離するように形成されていることを特徴とするスクレーパ。【選択図】図１
2006150008.tif 000002
【特許請求の範囲】
【請求項１】
とうもろこしからコーン粒を分離する際に使用するスクレーパであって、Ｔ字ブレード部の凹凸部またはホルダー先端部にてとうもろこしの芯（穂軸）方向であるコーン粒一列を分離し、Ｔ字ブレード部の滑らかな部材にてとうもろこしの芯（穂軸）にそって以降のコーン粒列を分離する形状に設けられていることを特徴とするスクレーパ。
【請求項２】
前記Ｔ字ブレード部の滑らかな縁部が、側面形状で曲線状に形成されていることを特徴とする請求項１記載のスクレーパ。
【請求項３】
前記Ｔ字ブレード部の凹凸部の縁部に、コーン粒を一列分離するための刃が設けられていることを特徴とする請求項１記載のスクレーパ。
【請求項４】
前記ホルダー先端部に、コーン粒を一列分離するための補助刃が設けられていることを特徴とする請求項１記載のスクレーパ。
【発明の詳細な説明】
【技術分野】
【０００１】  本発明は、とうもろこしの芯からコーン粒を分離する操作を簡単に行うことができるスクレーパに関するものである。
【背景技術】
【０００２】  とうもろこしのコーン粒を丸ごと食するためには、焼いたまたは蒸したとうもろこしをじかに口にあててとうもろこしの芯（穂軸）から、丸ごとコーン粒をかじるか、とうもろこしの芯からコーン粒を指で外し落とすようにして食べることも行われる。
【発明の開示】
【発明が解決しようとする課題】
【０００３】  そのために、次のような問題があった。
（イ）とうもろこしをじかに口にあててコーン粒を食べると、口のまわりが汚れてしまっていた。
（ロ）とうもろこしをじかに口にあててコーン粒を食べると、コーン粒がとうもろこしの芯（穂軸）に残ってしまっていた。
（ハ）歯のないもしくは噛む力の弱い子供や老人には、とうもろこしをじかに口にあててコーン粒を食べるのに困難であった。
（ニ）とうもろこしの芯からコーン粒を指で外し落とすようにして食べると時間がかかってしまっていた。
（ホ）指の力のない子供や老人には、とうもろこしの芯から上手にコーン粒を外すことが難しい。【０００４】  とうもろこしのコーン粒は、そのまま食する他に、用途の広い食材であり、焼いたり蒸した状態、あるいは生の状態で冷凍等により保存しておくことによって、種々の料理に利用することができる。
このような場合には、芯にコーン粒がついたままで保存するとかさばるから、コーン粒だけを保存するようにすることが効率的である。また、離乳食やスープなどに活用するには、芯からコーン粒を取り出して調理しなければならない。しかしながら、とうもろこしの芯からコーン粒を一つずつ外して取ることは煩雑である。また、ナイフのようなものでコーン粒を芯から切り落とすようにすると、コーン粒の根元が芯に残る、コーン粒が形崩れしてしまう、といった問題がある。【０００５】  本発明はこれらの課題を解決するためになされたものであり、その目的とするところは、とうもろこしの芯から簡単にコーン粒を分離することができ、これによって焼きとうもろこしや蒸しとうもろこしを食する際に、口を汚さずにコーン粒を丸ごと簡単に食することができ、また、コーン粒を保存するといった場合にもとうもろこしの芯からコーン粒を分離するといった作業にも好適に使用することができるスクレーパを提供する。
【課題を解決するための手段】
【０００６】  上記課題を解決するため、本発明は次の構成を備える。すなわち、とうもろこしからコーン粒を分離する際に使用するスクレーパであって、Ｔ字ブレード部の凹凸部またはホルダー先端部にてとうもろこしの芯（穂軸）方向であるコーン粒一列を分離し、Ｔ字ブレード部の滑らかな部材にてとうもろこしの芯（穂軸）にそって、以降のコーン粒列を分離するように形成されていることを特徴とする。【０００７】  また、前記Ｔ字ブレード部の滑らかな縁部は、側面形状で曲線状に形成することによって、コーン粒を容易にとうもろこしの芯から分離可能ならしめる。
また、前記Ｔ字ブレード部の凹凸部縁部に、コーン粒を一列分離するための刃を設けることによって、容易にコーン粒を一列分離可能ならしめる。
また、前記ホルダー先端部に、コーン粒を一列分離するための補助刃を設けることによって、コーン粒を確実にとうもろこしの芯から分離可能ならしめる。
【発明の効果】
【０００８】  本発明に係るスクレーパは、とうもろこしの芯から簡単にコーン粒を分離することができ、焼きとうもろこしや蒸しとうもろこしを食べるときに、形を崩さずにコーン粒を容易に丸ごと簡単に食することができる。また、コーン粒を保存するといった場合にもとうもろこしの芯からコーン粒を分離するといった作業にも好適に使用することができる。
【発明を実施するための最良の形態】
【０００９】  以下、本発明の好適な実施の形態について詳細に説明する。
（イ）スクレーパ（１０）は、ホルダー（１１）の上部に板状のブレード部（１２）を設け、ブレード部は滑らかな縁部（１３）と凹凸の縁部の刃（１４）を設ける。
（ロ）ホルダーの下部に、一つのコーン粒を分離するための補助刃（１５）を設ける。
（ハ）ブレード部の滑らかな縁部（１３）は、曲線状に形成されている。
（ニ）ブレード部の滑らかな縁部（１３）は、ゴム状またはシリコーン状でコーンを傷つけないものを装着するのが最も望ましいが、材質等はとくにこれらに限定されるものではなく、所定の軟度を備えた合成樹脂材等が使用できる。【００１０】  ブレード部凹凸の縁部の刃（１４）で、とうもろこしの芯（穂軸）に沿った第一列目のコーン粒（１６）を根元部分から分離する。ホルダー下部に補助刃（１５）を有しているのは、コーン粒が密着している状態で、凹凸の縁部の刃（１４）で分離が困難な場合に使用できるようにするためである。【００１１】  ブレード部の滑らかな縁部（１３）は、凹凸の縁部の刃（１４）または補助刃（１５）で分離したコーン粒第一列目（１６）以降の穂軸に沿ったコーン粒列（１７）を順に、梃子の要領でコーン粒を根元部分から手前に倒すよう分離していく。ブレード部の滑らかな縁部（１３）が曲線状に形成されているのは、ブレードの滑らかな縁部（１３）がホルダーを中心に回転方向のあそびを持たせることで、とうもろこしの穂先に向かって小粒になるコーン粒への過度の力が加わらないようにするためである。【００１２】  このように、単純な構成をしているから取り扱いが容易であり、だれでも簡単にコーン粒列（１７）のように穂軸に平行に各列順にすべてのコーン粒を分離することができる。すべてのコーン粒は列にそって分離されるから、とうもろこしから分離したすべてのコーン粒が形崩れしたりしないという利点がある。【００１３】  本実施形態のスクレーパ（１０）は、焼きとうもろこし、蒸しとうもろこしを食べるときに、コーン粒だけを簡単にとることができるから、口をよごしたりせずにとうもろこしを簡単に食べることができる。また、とうもろこしの太さの大小に限らず使用することができる。なお、焼きとうもろこしや蒸しとうもろこしの他に、皮をむいて生の状態のとうもろこしからコーン粒だけをとる場合にも同様に利用することができる。【００１４】  また、本発明に係るスクレーパ（１０）は、とうもろこしからコーン粒を分離する際に好適に使用することができるが、とうもろこし以外の作物について利用することも可能である。【００１５】  なお、図３に示すように、Ｔ字形の代わりに、Ｉ字形のホルダー（１８）に滑らかな縁部（１３）と凹凸の縁部の刃（１４）と補助刃（１５）を装着してもよい。
【図面の簡単な説明】
【００１６】
【図１】本発明の斜視図である。
【図２】本発明の使用方法を示す第一実施図（ａ）、補助図（ｂ）、第二実施図（ｃ）である。
【図３】本発明に係る他の実施形態の構成を示す斜視図である。
【符号の説明】
【００１７】１０  スクレーパ
１１  ホルダー
１２  ブレード部
１３  滑らかな縁部
１４  凹凸の縁部の刃
１５  補助刃
１６  コーン粒第一列目
１７  コーン粒列
１８  Ｉ字形のホルダー
【図１】
2006150008.tif 000003
【図２】
2006150008.tif 000004
【図３】
2006150008.tif 000005